(57)【要約】【課題】背面ボードの端部付近において乗員との接触圧力が高まることを抑制する。【解決手段】車両用シート１０は、乗員の臀部及び大腿部を支持するシートクッションと、シートクッションのシート後方側の端部に該シートクッションに対してシート前後方向に傾動可能に設けられ、乗員の背部を支持するシートバック１４と、を備えている。シートバック１４の背面には、板状の背面ボード２２が設けられている。シートバック１４のシートクッションに対する角度が乗員の背部を支持可能な角度に調節されている状態において背面ボード２２の端部２２Ａの少なくともシート上方側の部分と近接して凸ビード３０が設けられている。この凸ビード３０のシート後方側の面３０Ｄが背面ボード２２のシート後方側の面２２Ｂと面一となっている。【選択図】図３
2019188872.tif 000002
【特許請求の範囲】
【請求項１】
乗員の臀部及び大腿部を支持するシートクッションと、
前記シートクッションのシート後方側の端部に該シートクッションに対してシート前後方向に傾動可能に設けられ、乗員の背部を支持するシートバックと、
前記シートバックの背面に沿って設けられた板状の背面ボードと、
前記背面ボードの端部と近接して設けられ、前記シートバックの前記シートクッションに対する角度が前記乗員の背部を支持可能な角度に調節されている状態でそのシート後方側の面が前記背面ボードのシート後方側の面と面一又は前記背面ボードのシート後方側の面よりもシート後方側に位置している背面ボード端部近接部と、
を備えた車両用シート。
【請求項２】
前記シートバックは、前記シートクッションの骨格の一部を構成する板状の背面パネルを含んで構成され、
前記背面ボードは、前記背面パネルにおける前記乗員とは反対側の面に沿って配置され、
前記背面ボード端部近接部は、前記背面パネルに形成されかつ前記背面ボード側へ向けて突出する凸ビードとされている請求項１記載の車両用シート。
【請求項３】
前記背面パネルにおいて前記背面ボードと対向する部分には、背面ボード側又は背面ボードとは反対側へ向けて突出する補強ビードが形成されている請求項２記載の車両用シート。
【発明の詳細な説明】
【技術分野】
【０００１】
本発明は、車両用シートに関する。
【背景技術】
【０００２】
下記特許文献１には、樹脂材料を用いて板状に形成された樹脂ボードが開示されている。この樹脂ボードは、断面凹凸状のコアシートを２枚のカバーシートで挟み込むことにより構成された三層構造となっている。
【先行技術文献】
【特許文献】
【０００３】
【特許文献１】特許第４３３９０８８号公報
【発明の概要】
【発明が解決しようとする課題】
【０００４】
ところで、上記のような板状の部材を車両用シートのシートバックの背面ボードとして用いる場合、車両の乗員がシートバックに接触した際に、背面ボードの端部付近において乗員との接触圧力が高まることを抑制できることが望ましい。
【０００５】
本発明は上記事実を考慮し、背面ボードの端部付近において乗員との接触圧力が高まることを抑制できる車両用シートを得ることが目的である。
【課題を解決するための手段】
【０００６】
請求項１記載の車両用シートは、乗員の臀部及び大腿部を支持するシートクッションと、前記シートクッションのシート後方側の端部に該シートクッションに対してシート前後方向に傾動可能に設けられ、乗員の背部を支持するシートバックと、前記シートバックの背面に沿って設けられた板状の背面ボードと、前記背面ボードの端部と近接して設けられ、前記シートバックの前記シートクッションに対する角度が前記乗員の背部を支持可能な角度に調節されている状態でそのシート後方側の面が前記背面ボードのシート後方側の面と面一又は前記背面ボードのシート後方側の面よりもシート後方側に位置している背面ボード端部近接部と、を備えている。
【０００７】
請求項１記載の車両用シートによれば、乗員の臀部及び大腿部がシートクッションに支持され、乗員の背部がシートバックに支持される。ここで、シートバックの背面には、板状の背面ボードが設けられている。また、背面ボード端部近接部が、背面ボードの端部と近接して設けられている。そして、シートバックのシートクッションに対する角度が乗員の背部を支持可能な角度に調節されている状態で、背面ボード端部近接部のシート後方側の面が、背面ボードのシート後方側の面と面一又は背面ボードのシート後方側の面よりもシート後方側に位置している。これにより、車両用シートのシート後方側の乗員がシートバックに接触した際に、背面ボードの端部付近において乗員との接触圧力が高まることを抑制できる。また、シートバックにおいて乗員を支持する側とは反対側がシート上方側へ向けられた状態で、すなわち、シートバックがシートクッションに対して前傾された状態で、車両用シートのシート後方側又は側方側の乗員がシートバックに接触した際についても同様に、背面ボードの端部付近において乗員との接触圧力が高まることを抑制できる。
【０００８】
請求項２記載の車両用シートは、請求項１記載の車両用シートにおいて、前記シートバックは、前記シートクッションの骨格の一部を構成する板状の背面パネルを含んで構成され、前記背面ボードは、前記背面パネルにおける前記乗員とは反対側の面に沿って配置され、前記背面ボード端部近接部は、前記背面パネルに形成されかつ前記背面ボード側へ向けて突出する凸ビードとされている。
【０００９】
請求項２記載の車両用シートによれば、背面パネルに凸ビードを形成することで、背面ボードの端部付近において乗員との接触圧力が高まることを抑制できる。
【００１０】
請求項３記載の車両用シートは、請求項２記載の車両用シートにおいて、前記背面パネルにおいて前記背面ボードと対向する部分には、背面パネル側又は背面パネルとは反対側へ向けて突出する補強ビードが形成されている。
【００１１】
請求項３記載の車両用シートによれば、背面パネルに補強ビードが形成されていることにより、当該背面パネルにおいて背面ボードと対向している部分の曲げに対する強度を向上させることができる。これにより、背面パネルに背面ボードを介して入力される荷重に対する耐力を向上させることができる。
【発明の効果】
【００１２】
本発明に係る車両用シートは、背面ボードの端部付近において乗員との接触圧力が高まることを抑制できる、という優れた効果を有する。
【図面の簡単な説明】
【００１３】
【図１】第１実施形態の車両用シートを示す斜視図であり、シートバックのシートクッションに対する角度が、乗員が着座可能な角度に調節された状態を示している。
【図２】第１実施形態の車両用シートを示す斜視図であり、シートバックのシートクッションに対する角度が、シートバックの背面に荷物等を載置することが可能な角度に調節された状態を示している。
【図３】図１に示された３−３線に沿って切断したシートバックの断面を示す断面図である。
【図４】第２実施形態の車両用シートを示す平面図であり、シートバックのシートクッションに対する角度が、シートバックの背面に荷物等を載置することが可能な角度に調節された状態を示している。
【図５】図１に示された５−５線に沿って切断したシートバックの断面を示す断面図である。
【発明を実施するための形態】
【００１４】
（第１実施形態）
図１〜図３を用いて、本発明の第１実施形態に係る車両用シートについて説明する。なお、以下の説明において前後左右上下の方向を示して説明するときは、車両用シートに着座した乗員から見た前後左右上下の方向を示すものとし、また各図に適宜示す矢印ＦＲは前方向、矢印ＵＰは上方向、矢印ＲＨは右方向、矢印ＬＨは左方向をそれぞれ示すものとする。また、左右の方向は、シート幅方向と一致している。
【００１５】
図１に示されるように、本実施形態の車両用シート１０は、乗員の臀部及び大腿部を支持するシートクッション１２と、乗員の背部を支持するシートバック１４と、を備えている。        
【００１６】
シートクッション１２は、表皮材１６に覆われたシートクッションパッド１８がシートクッションフレームに取付けられること等によって形成されている。
【００１７】
図１及び図２に示されるように、シートクッション１２の後端部には、シートバック１４が取付けられている。このシートバック１４は、図示しないリクライニング機構によってシートクッション１２に対して前後方向に傾けることが可能となっている。なお、図１では、シートバック１４のシートクッション１２に対する角度が、乗員が着座可能な角度に調節された状態を示している。また、図２では、シートバック１４のシートクッション１２に対する角度が、シートバック１４の背面に荷物等を載置することが可能な角度に調節された状態を示している。
【００１８】
次に、シートバック１４の細部の構成について説明する。
【００１９】
図３に示されるように、シートバック１４は、当該シートバック１４のシートバックフレームの一部を構成する図示しない左右一対のサイドフレームと、シートバックフレームの他の一部を構成すると共に左右一対のサイドフレーム間に架け渡された状態で左右方向の端部が左右一対のサイドフレームに接合された背面パネル２０と、を備えている。また、シートバック１４は、シートバック１４の背面に沿って設けられた板状の背面ボード２２を備えている。さらに、シートバック１４は、シートバックフレームに取付けられたシートバックパッド２４と、シートバックパッド２４等を覆う表皮材２６と、を備えている。
【００２０】
背面パネル２０は、鋼板材にプレス加工等が施されること等によって形成されている。背面パネル２０の左右方向の中央部は、後述する背面ボード２２と対向して配置される背面ボード対向部２８とされている。また、背面パネル２０には、後述する背面ボード２２側へ向けて突出する背面ボード端部近接部としての凸ビード３０が形成されている。この凸ビード３０は、背面ボード対向部２８に沿って配置された背面ボード２２の端部２２Ａと近接してかつ背面ボード２２を囲むように設けられている。なお、この凸ビード３０は、連続して形成されている必要はなく、複数個所に分けて点在するように設けられていてもよい。
【００２１】
凸ビード３０について詳述すると、この凸ビード３０は、当該凸ビード３０の長手方向と直交する方向に沿って切断した断面視で略Ｕ字状断面に形成されている。ここで、凸ビード３０の突出方向の先端側を頂壁部３０Ａと呼び、凸ビード３０において背面ボード２２の端部２２Ａ側を内壁部３０Ｂと呼び、凸ビード３０において背面ボード２２とは反対側を外壁部３０Ｃと呼ぶ。そして、本実施形態では、内壁部３０Ｂ及び外壁部３０Ｃが背面ボード対向部２８の厚み方向に対して傾斜している。また、シートバック１４のシートクッション１２に対する角度が乗員の背部を支持可能な角度に調節されている状態（図１に示された状態）において、頂壁部３０Ａのシート後方側の面３０Ｄが背面ボード２２のシート後方側の面２２Ｂと略面一となっている。
【００２２】
背面ボード２２は、ポリプロピレン等を用いて矩形板状に形成されている。この背面ボード２２は、背面パネル２０の背面ボード対向部２８における乗員とは反対側の面に沿って配置されている。なお、背面ボード２２は、接着剤や両面テープ等を用いて背面ボード対向部２８に接合されていてもよいし、接合されていなくてもよい。
【００２３】
シートバックパッド２４は、シート後方側が開放された形状に形成されており、乗員の背部からの荷重が入力されるメイン部３２と、メイン部３２の左右方向の端部から乗員とは反対側へ向けて延びるサイド部３４と、を備えている。また、シートバックパッド２４は、サイド部３４におけるメイン部３２とは反対側の端部から、背面パネル２０の凸ビード３０側へ向けて延びる係止部３６を備えている。この係止部３６におけるサイド部３４とは反対側の端部は、凸ビード３０の外壁部３０Ｃと近接して配置されている。
【００２４】
表皮材２６は、合成皮革やビニール等を用いて袋状に形成されている。本実施形態では、表皮材２６が取付けられることで、シートバックパッド２４、背面パネル２０の一部（凸ビード３０）及び背面ボード２２が表皮材２６によって覆われるようになっている。
【００２５】
（本実施形態の作用並びに効果）
次に、本実施形態の作用並びに効果について説明する。
【００２６】
図１に示されるように、以上説明した本実施形態の車両用シート１０に乗員が着座すると、乗員の臀部及び大腿部がシートクッション１２によって支持され、乗員の背部がシートバック１４によって支持される。
【００２７】
ここで、本実施形態では、シートバック１４の背面には、板状の背面ボード２２が設けられている。また、背面パネル２０の凸ビード３０が、背面ボード２２の端部２２Ａと近接して設けられている。そして、図１及び図３に示されるように、シートバック１４のシートクッション１２に対する角度が乗員の背部を支持可能な角度に調節されている状態（図１に示された状態）において、凸ビード３０の頂壁部３０Ａのシート後方側の面３０Ｄが背面ボード２２のシート後方側の面２２Ｂと略面一となっている。これにより、車両用シート１０のシート後方側の乗員の頭部が、車両の前面衝突時等にシートバック１４に接触した際に、当該乗員の頭部が背面ボード２２の端部２２Ａに表皮材２６を介して接触することが抑制される。これにより、乗員の頭部との接触圧力が背面ボード２２の端部２２Ａ付近において高まることを抑制できる。また、シートバック１４のシートクッション１２に対する角度が、シートバック１４の背面に荷物等を載置することが可能な角度に調節された状態（図２に示された状態）で、車両用シート１０のシート後方側又は側方側の乗員の頭部が、車両の前面衝突時や側面衝突時等にシートバック１４に接触した際についても同様に、当該乗員の頭部が背面ボード２２の端部２２Ａに表皮材２６を介して接触することが抑制される。これにより、乗員の頭部との接触圧力が背面ボード２２の端部２２Ａ付近において高まることを抑制できる。また、本実施形態では、背面ボード２２の端部２２Ａを湾曲させる処理が不要となり、背面ボード２２の製造コストを削減することができる。
【００２８】
また、凸ビード３０の頂壁部３０Ａのシート後方側の面３０Ｄが背面ボード２２のシート後方側の面２２Ｂと略面一となっていることにより、シートバック１４の背面のより一層のフラット化を図ることができる。これにより、シートバック１４の背面の外観を向上させることができる。
【００２９】
（第２実施形態）
次に、図４及び図５を用いて、本発明の第２実施形態に係る車両用シート３８について説明する。なお、第２実施形態に係る車両用シート３８において前述の第１実施形態に係る車両用シート１０の各部材及び部分と対応する部材等には、車両用シート１０の各部材等と同一の符号を付してその説明を省略することがある。
【００３０】
図４に示されるように、本実施形態の車両用シート３８では、背面パネル２０の凸ビード３０が、矩形状の背面ボード２２の３辺を囲むように設けられている。すなわち、凸ビード３０は、シートバック１４のシートクッション１２に対する角度が乗員の背部を支持可能な角度に調節されている状態（図１に示された状態）において背面ボード２２の上側の端部２２Ａ、右側の端部２２Ａ及び左側の端部２２Ａと近接して設けられている。
【００３１】
また、図５に示されるように、背面パネル２０の背面ボード対向部２８には、背面ボード２２側へ向けて突出する複数の補強ビード４０が形成されている。この複数の補強ビード４０は、シートバック１４のシートクッション１２に対する角度が、シートバック１４の背面に荷物等を載置することが可能な角度に調節された状態（図４に示された状態）において前後方向に沿って形成されている。また、複数の補強ビード４０は、背面ボード対向部２８の左右方向の両側部分２８Ａよりも左右方向の中央部において左右方向に間隔をあけて配置されている。
【００３２】
また、補強ビード４０の突出方向の先端面は、背面ボード２２が当接する当接面４０Ａとされている。そして、背面ボード２２が当接面４０Ａに当接した状態では、背面ボード２２の左右方向の両側部分２２Ｃが、背面パネル２０の背面ボード対向部２８の左右方向の両側部分２８Ａと離間している。
【００３３】
また、本実施形態では、シートバック１４のシートクッション１２に対する角度が乗員の背部を支持可能な角度に調節されている状態（図１に示された状態）において、凸ビード３０の頂壁部３０Ａのシート後方側の面３０Ｄが背面ボード２２のシート後方側の面２２Ｂよりも後方側に位置している。なお、図５においては、シートバック１４のサイドフレームを符号４２で示している。
【００３４】
以上説明した本実施形態では、シートバック１４のシートクッション１２に対する角度が乗員の背部を支持可能な角度に調節されている状態（図１に示された状態）において、凸ビード３０の頂壁部３０Ａのシート後方側の面３０Ｄが背面ボード２２のシート後方側の面２２Ｂよりも後方側に位置している。これにより、車両用シート３８のシート後方側の乗員の頭部Ｐが、車両の前面衝突時等にシートバック１４に接触した際に、当該乗員の頭部Ｐが背面ボード２２の端部２２Ａに接触することが抑制される。これにより、乗員の頭部Ｐとの接触圧力が背面ボード２２の端部２２Ａ付近において高まることを抑制できる。
【００３５】
また、本実施形態では、背面ボード２２の左右方向の両側部分２２Ｃが、背面パネル２０の背面ボード対向部２８の左右方向の両側部分２８Ａと離間している。これにより、乗員の頭部Ｐが背面ボード２２の左右方向の両側部分２２Ｃを押圧した際に、当側部分２２Ｃを撓ませ易くすることができる。これにより、乗員の頭部Ｐとの接触圧力が背面ボード２２の端部２２Ａ付近において高まることをより一層抑制できる。
【００３６】
さらに、本実施形態では、背面パネル２０の背面ボード対向部２８に複数の補強ビード４０が形成されている。これにより、背面ボード対向部２８の曲げに対する強度を向上させることができる。その結果、背面ボード対向部２８に背面ボード２２を介して入力される荷重に対する耐力を向上させることができる。
【００３７】
なお、本実施形態では、背面ボード２２側へ向けて突出する複数の補強ビード４０を設けたが、この複数の補強ビード４０に代えて背面ボード２２とは反対側へ向けて突出する複数の補強ビードを設けてもよい。
【００３８】
また、第１実施形態に係る車両用シート１０及び第２実施形態に係る車両用シート３８では、背面パネル２０に凸ビード３０を形成することにより、乗員の頭部との接触圧力が背面ボード２２の端部２２Ａ付近において高まることを抑制した例について説明したが、本発明はこれに限定されない。例えば、サイドフレーム４２（図５参照）の一部等を背面パネル２０の凸ビード３０と同様に機能させてもよい。背面パネル２０の凸ビード３０と同様に機能する別部材を設けてもよい。
【００３９】
以上、本発明の一実施形態について説明したが、本発明は、上記に限定されるものでなく、その主旨を逸脱しない範囲内において上記以外にも種々変形して実施することが可能であることは勿論である。
【符号の説明】
【００４０】
１０   車両用シート
１２   シートクッション
１４   シートバック
２０   背面パネル
２２   背面ボード
３０   凸ビード（背面ボード端部近接部）
３８   車両用シート
４０   補強ビード
【図１】
2019188872.tif 000003
【図２】
2019188872.tif 000004
【図３】
2019188872.tif 000005
【図４】
2019188872.tif 000006
【図５】
2019188872.tif 000007